(57)【特許請求の範囲】
【請求項１】
集合玄関機（１）から音声制御機（３）を経由して端末（２ａ、２ｂ）を呼び出し、前記集合玄関機のテレビカメラ（１４）で撮像された映像信号（Ｓ３）を映像制御機（４）を経由して前記端末のテレビモニタ（２２ａ、２２ｂ）で出画し、前記集合玄関機のマイク（１２）、スピーカ（１３）と前記端末の送受器（２１ａ、２１ｂ）で通話を行なう集合住宅インターホン方式であって、
前記端末内に設けた集合玄関機呼出ボタン（３２ａ、３２ｂ）を押下し、前記集合玄関機を呼び出し動作させ、前記音声制御機に前記端末から呼出要求のデータ（Ｓ４ａ、Ｓ４ｂ）を送信し、前記音声制御機で前記集合玄関機から前記端末を疑似的に呼び出した状態を前記端末で形成して動作試験を実行することを特徴とする集合住宅インターホン方式。
【発明の詳細な説明】
【０００１】
【発明の属する技術分野】
本発明は集合住宅インターホン方式に係わり、特にインターホン装置の施工時等における動作試験の諸作業を軽減可能にした集合住宅インターホン方式に関する。
【０００２】
【従来の技術】
従来から、この種の集合住宅インターホン方式に用いられるインターホン装置として、図３に示す集合住宅インターホン装置が提案されている。
同図に示す集合住宅インターホン装置は、集合玄関に設置され、通常、来訪者等が集合住宅を成す複数の住戸の居住者を呼び出す呼出機能、呼び出した居住者との通話を成立させるための通話機能、集合玄関が設置される周囲近傍の映像を撮像する映像撮像機能、詳述しない集合玄関に備えられるオートロックの解錠機能等が備えられた集合玄関機５１と、集合住宅を成す複数の住戸にそれぞれ設置され、上述の集合玄関機５１を使用する来訪者等からの呼出時における呼出報知機能、来訪者等との通話を成立させるための通話機能、集合玄関機５１で撮像された映像を出画する映像再生機能等が備えられた端末５２ａ、５２ｂと、集合玄関機５１と端末５２ａ、５２ｂとを接続する幹線Ｌ５１上に設置される音声制御機５３、映像制御機５４とで構成される。
【０００３】
このように構成された集合住宅インターホン装置を設置する施工時等において動作試験を実行するためには、予め集合玄関機５１の前に人を配置し、各端末５２ａ、５２ｂを使用する居住者が、トランシーバ又は携帯電話等を用いて動作試験を実行する住戸の部屋番号を連絡後、集合玄関機５１の前に居る人の適宜な呼出操作により端末５２ａ、５２ｂをそれぞれ呼び出すことによって、集合玄関機５１から幹線Ｌ５１を介して端末５２ａ、５２ｂをそれぞれ呼び出した状態に形成してから、上述の集合玄関機５１の呼出機能、通話機能、映像撮像機能と、各端末５２ａ、５２ｂの呼出報知機能、通話機能、映像再生機能とをそれぞれ動作確認していた。
【０００４】
【発明が解決しようとする課題】
しかしながら、従来の集合住宅インターホン方式で用いられる集合住宅インターホン装置で動作試験を実行するためには、トランシーバ又は携帯電話等の既存の集合システム以外の通信手段を確保しなければならず、別途に通信料等が必要となりコストが増大し、また、タイムアウト時には、集合玄関機５１から各端末５２ａ、５２ｂを何度も呼び出さなくてはならないといった難点あった。
【０００５】
本発明は上述の難点を解消するためになされたもので、集合住宅の集合玄関および複数の住戸にそれぞれ設置される集合玄関機および端末の施工時等において動作試験を実行するために、端末から集合玄関機を呼び出すことにより、制御機（音声制御機）に制御によって、集合玄関機から端末を疑似的に呼び出した状態に形成することで、住戸側での動作確認、又は不良時の対策等の動作確認を最少限の人数（１人）で実行可能とする集合住宅インターホン方式を提供することを目的とする。
【０００６】
【課題を解決するための手段】
このような目的を達成するため、本発明による集合住宅インターホン方式は、集合玄関機から音声制御機を経由して端末を呼び出し、集合玄関機のテレビカメラで撮像された映像信号を映像制御機を経由して端末のテレビモニタで出画し、集合玄関機のマイク、スピーカと前記端末の送受器で通話を行なう集合住宅インターホン方式であって、端末内に設けた集合玄関機呼出ボタンを押下し、集合玄関機を呼び出し動作させ、音声制御機に端末から呼出要求のデータを送信し、音声制御機で集合玄関機から端末を疑似的に呼び出した状態を端末で形成して動作試験を実行するものである。
【０００７】
このような集合住宅インターホン方式によれば、集合住宅を成す複数の住戸にそれぞれ設置される端末から、幹線を介して接続される集合玄関に設置される集合玄関機を呼び出すことにより、幹線上に設けられる音声制御機の制御によって、集合玄関機から端末を擬似的に呼び出した状態が形成されることから、住戸側での動作確認、又は不良時の対策等の動作確認が最少限の人数（１人）で実行可能となる。
【０００８】
【発明の実施の形態】
以下、本発明による集合住宅インターホン方式を適用した好ましい形態について、一実施例として図面を参照して説明する。
本発明による集合住宅インターホン方式の一実施例に用いられる図１（ａ）の構成図に示す集合住宅インターホン装置は、集合住宅の集合玄関および複数の住戸にそれぞれ設置される集合玄関機１および端末２ａ、２ｂと、集合玄関機１と端末２ａ、２ｂとを接続する幹線Ｌ１上に設置される音声制御機３、映像制御機４とで構成される。
【０００９】
集合玄関機１は、来訪者等が呼び出す住戸の部屋番号を、居住者が集合玄関に備えられるオートロック（詳述せず）を解錠するための暗証番号をそれぞれ入力するために押下されるテンキー選局ボタン１０と、通常、上述のテンキー選局ボタン１０による入力操作後に押下され、呼出信号Ｓ１ａ、Ｓ１ｂをそれぞれ出力する呼出ボタン１１と、呼び出した居住者との通話を成立させる音声信号Ｓ２ａ、Ｓ２ｂをそれぞれ送受するために用いられるマイク１２、スピーカ１３と、集合玄関機１が設置される周囲近傍の映像を撮像し映像信号Ｓ３を出力するテレビカメラ１４とを備えている。
【００１０】
端末２ａ、２ｂは、集合玄関機１を使用する来訪者等からの呼出時に出力される呼出信号Ｓ１ａ、Ｓ１ｂを入力することにより、呼出音を鳴動して居住者に報知する拡声スピーカ２０ａ、２０ｂと、の来訪者等からの呼び出しに応答する応答操作および来訪者等との通話を成立させる音声信号Ｓ２ａ、Ｓ２ｂを送受するために用いられる送受器２１ａ、２１ｂと、集合玄関機１のテレビカメラ１４で撮像された映像信号Ｓ３を出画するテレビモニタ２２ａ、２２ｂと、図１（ｂ）の構成図に示すように、上述のテレビモニタ２２ａ、２２ｂが埋め込まれ、通常、居住者の目に触れない該端末機器内の基板上に設けられる落下防止フック３１ａ、３１ｂにコード（線）等を介して固定されるフロントパネル３０ａ、３０ｂにより嵌合され、集合玄関機１を呼び出す際に押下され、呼出要求データ信号Ｓ４ａ、Ｓ４ｂを出力する集合玄関機呼出ボタン３２ａ、３２ｂとをそれぞれ備えている。
【００１１】
音声制御機３は、集合玄関機１の呼出ボタン１１が押下された際に出力される呼出信号Ｓ１ａ（Ｓ１ｂ）の呼出先の端末２ａ（２ｂ）の拡声スピーカ２０ａ（２０ｂ）間の信号伝送路を形成し、集合玄関機１のマイク１２、スピーカ１３と、呼出先の端末２ａ（２ｂ）の送受器２１ａ（２１ｂ）間で通話を成立させるために送受される音声信号Ｓ２ａ（Ｓ２ｂ）の信号伝送路を形成するとともに、端末２ａ（２ｂ）の集合玄関機呼出ボタン３２ａ（３２ｂ）が押下された際に出力される呼出要求データ信号Ｓ４ａ（Ｓ４ｂ）を入力することにより集合玄関機１を能動にし、集合玄関機１から集合玄関機呼出ボタン３２ａ（３２ｂ）が押下された端末２ａ（２ｂ）を擬似的に呼び出した状態に形成するものである。また、この音声制御機３は、上述の諸機能の他に、詳述しない集合玄関機１のテンキー選局ボタン１０にて押下されるオートロックを解錠するための暗証番号およびオートロック解錠時間等の設定機能も有する。
【００１２】
映像制御機４は、集合玄関機１のテレビカメラ１４で撮像された映像信号Ｓ３を、分配器を用いずに複数の住戸２ａ、２ｂに伝送させ、各テレビモニタ２２ａ、２２ｂにて出画させるものである。
図２は、図１の集合住宅インターホン装置を示すブロック図であり、集合玄関機１の呼出ボタン１１、マイク１２、スピーカ１３は、幹線Ｌ１を成す信号伝送路をそれぞれ介して音声制御機３の一端に接続され、音声制御機３の他端は、幹線Ｌ１を成す信号伝送路をそれぞれ介して各端末２ａ、２ｂの拡声スピーカ２０ａ、２０ｂ、送受器２１ａ、２１ｂ、集合玄関機呼出ボタン３２ａ、３２ｂにそれぞれ接続されている。集合玄関機１のテレビカメラ１４は、幹線Ｌ１を成す信号伝送路および映像制御機４を介して、端末２ａのテレビモニタ２２ａに接続されている。また、端末２ａのテレビモニタ２２ａと端末２ｂのテレビモニタ２２ｂは、わたり配線（送り配線）を介して接続されている。
【００１３】
このように構成された集合住宅インターホン装置を実際に設置する施工時等において、以下、動作試験を実行する際の動作を説明するにあたり、ここでは、集合玄関機１と、幹線Ｌ１上に設置される映像制御機３および音声制御機４を介する端末２ａ間における動作について説明する。
端末２ａが設置される住戸の居住者が動作試験を実行するために、図１（ｂ）の構成図に示すように、端末２ａのフロントパネル３０ａを適宜な方法で該端末機器内の基板上から取り外して集合玄関機呼出ボタン３２ａを押下すると、集合玄関機１を呼び出し動作させるための呼出要求データ信号Ｓ４ａが出力され、幹線Ｌ１を成す信号伝送路を介して音声制御機３に入力される。この呼出要求データ信号Ｓ４ａを入力検出した音声制御機３は、集合玄関機１を能動にしスピーカ１３から呼出音を鳴動させるとともに、集合玄関機１から幹線Ｌ１を介して端末２ａを疑似的に呼び出した状態に形成する。
【００１４】
すなわち、音声制御機３より通常は集合玄関機１の呼出ボタン１１が押下された際に出力される疑似的な呼出信号Ｓ１ａ’が出力され、幹線Ｌ１を成す信号伝送路を介して端末２ａに入力されることから、集合玄関機１から幹線Ｌ１を介して端末２ａを擬似的に呼び出した状態が形成され、疑似的な呼出信号Ｓ１ａ’を入力した端末２ａの拡声スピーカ２０ａから呼出音が鳴動される。よって、端末２ａを使用する居住者は、集合玄関機１の呼出機能および端末２ａの呼出報知機能を動作確認することができる。
【００１５】
また、能動にされた集合玄関機１のテレビカメラ１４で撮像された映像信号Ｓ３が、幹線Ｌ１を成す信号伝送路および映像制御回路４を介して端末２ａに入力されテレビモニタ２２ａにて出画されることから、端末２ａを使用する居住者は、集合玄関機１の映像撮像機能および端末２ａの映像再生機能を動作確認することができる。
【００１６】
更に、端末２ａを使用する居住者が、上述の拡声スピーカ２０ａから鳴動される呼出音を確認し、呼出応答のために送受器２１ａを適宜な方法で取り上げると、フックオフされ（図示せず）、居住者が使用する端末２ａの送受器２１ａと、幹線Ｌ１を成す信号伝送路および音声制御機３を介して、来訪者等が使用する集合玄関機１のマイク１２、スピーカ１３の通話路が形成され、特に集合玄関機１の前に人が居る場合には、通話を成立させるための音声信号Ｓ２ａの送受が可能となることから、端末２ａを使用する居住者は、集合玄関機１および端末２ａの通話機能を動作確認することができる。
【００１７】
尚、集合玄関機１と、幹線Ｌ１上に設置される映像制御機３および音声制御機４を介する端末２ｂ間における動作試験時の動作については、上述の集合玄関機１と、幹線Ｌ１上に設置される映像制御機３および音声制御機４を介する端末２ａ間の動作と同様であることから説明は省略する。
【００１８】
【発明の効果】
以上の説明から明らかなように、本発明の集合住宅インターホン方式によれば集合住宅を成す複数の住戸にそれぞれ設置される端末から、幹線を介して接続され集合玄関に設置される集合玄関機を呼び出すことにより、幹線上に設けられる音声制御機の制御によって、集合玄関機から端末を疑似的に呼び出した状態が形成されることから、住戸側での動作確認、又は不良時の対策等の動作確認が最少限の人数（１人）で実行可能となる。よって、従来のような既存の集合システム以外の通信手段が不要となり、動作試験時における諸作業が軽減される。
【図面の簡単な説明】
【図１】（ａ）は本発明による集合住宅インターホン方式の一実施例に用いられる集合住宅インターホン装置のシステムを示す構成図、（ｂ）は（ａ）に示す端末のフロントパネルが取り外された状態における端末機器内の構造を示す構成図。
【図２】図１に示す集合住宅インターホン装置のブロック図。
【図３】従来の集合住宅インターホン方式に用いられる集合住宅インターホン装置のシステムを示す構成図。
【符号の説明】
１・・・・・集合玄関機
２ａ、２ｂ・・・・・端末
３・・・・・音声制御機
４・・・・・映像制御機
１２・・・・・マイク
１３・・・・・スピーカ
１４・・・・・テレビカメラ
２１ａ、２１ｂ・・・・・送受器
２２ａ、２２ｂ・・・・・テレビモニタ
３２ａ、３２ｂ・・・・・集合玄関機呼出ボタン
Ｓ３・・・・・映像信号
Ｓ４ａ、Ｓ４ｂ・・・・・呼出要求のデータ（呼出要求データ信号）
【図１】
0003624092.tif 000002
【図２】
0003624092.tif 000003
【図３】
0003624092.tif 000004